(57)【要約】【課題】発酵分解槽内に厚く堆積されている堆積物について所定の処理をするための作業機を効率良くメンテナンスでき、かつ、迅速に復旧稼動することができる発酵分解槽の作業機支持台車装置を提供する。【解決手段】発酵分解槽の作業機支持台車装置１は、発酵分解槽２の開口部を跨いで進退可能に架設した台車３と、この台車３の下方の発酵分解槽内に下垂保持されて所定の作業を行う作業機９とから構成され、上記台車３の下部には、車幅方向に延びる中間支持軸２３を設け、この中間支持軸２３によって上記作業機９を振り子状に回動可能に軸支する回動支持部を形成し、この回動支持部には、作業機９をその下垂位置で台車３に対して係脱可能に固定するロック機構３ｈ、２４ｈと、その下垂位置の一方側への回動を阻止するストッパ機構３ｓ、２４ｓとを備える。【選択図】図１ 
2005334824.tif 000002
【特許請求の範囲】
【請求項１】
発酵分解槽の開口部を跨いで進退可能に架設した台車と、この台車の下方の発酵分解槽内に下垂保持されて所定の作業を行う作業機とからなる発酵分解槽の作業機支持台車装置において、
上記台車の下部には、車幅方向に延びる中間支持軸を設け、この中間支持軸によって上記作業機を振り子状に回動可能に軸支する回動支持部を形成し、この回動支持部には、作業機をその下垂位置で台車に対して係脱可能に固定するロック機構と、その下垂位置の一方側への回動を阻止するストッパ機構とを備えることを特徴とする発酵分解槽の作業機支持台車装置。
【請求項２】
前記作業機は、発酵分解槽内の堆積物を撹拌する撹拌手段からなることを特徴とする請求項１記載の発酵分解槽の作業機支持台車装置。
【発明の詳細な説明】
【技術分野】
【０００１】
本発明は、下水処理余剰汚泥等の有機物を主とする堆積物を発酵分解処理等するための作業機を発酵分解槽内に下垂保持する作業機支持台車装置に関する。特に、発酵分解槽内に厚く堆積されている堆積物について所定の処理をするための作業機を効率良くメンテナンスでき、かつ、迅速に復旧稼動することができる発酵分解槽の作業機支持台車装置に関する。
【背景技術】
【０００２】
下水処理施設における余剰汚泥等の排出物を発酵分解処理する発酵分解槽は、槽内に張り込んだ菌床部材と余剰汚泥等を台車装置に下垂状に保持した撹拌機等の作業機によって混合撹拌等の処理をすることにより、菌床部材に植えつけた好気性土壌菌を活性化させて余剰汚泥等を発酵分解処理するものである。
【０００３】
上記台車装置は、先に本出願人が提案した特許文献１の例のように、発酵分解槽の長手方向に進退走行可能に台車を架設し、その下方に撹拌機を備えた例がある。この撹拌機は、台車下部に回動可能に設けた回動支持部から駆動可能に下垂保持され、メンテナンスの際は、堆積物中に埋没されている撹拌機を振り子状に回動して堆積面上に引上げ可能に回動支持部を構成することにより、効率の良い補修交換作業を可能としている。また、メンテナンスの終了の際は、撹拌機の自重等によって下垂位置に戻し、ロック機構により回動部を固定することにより復旧稼動することができる。
【０００４】
しかしながら、メンテナンス終了時、撹拌機を下垂位置に戻し、ロック機構により回動部を固定する際に、発酵分解槽内に厚く堆積されている堆積物に阻まれて所定の下垂位置に合わせる調節作業に時間を取られ、ロック機構のピンを挿通固定して復旧稼動するまでに手間取る場合があった。
【特許文献１】特開２００２−２８４５７号公報
【発明の開示】
【発明が解決しようとする課題】
【０００５】
解決しようとする問題点は、発酵分解槽内に厚く堆積されている堆積物について所定の処理をするための作業機を効率良くメンテナンスでき、かつ、迅速に復旧稼動することができる発酵分解槽の作業機支持台車装置を提供する。
【課題を解決するための手段】
【０００６】
請求項１に係る発明は、発酵分解槽の開口部を跨いで進退可能に架設した台車と、この台車の下方の発酵分解槽内に下垂保持されて所定の作業を行う作業機とからなる発酵分解槽の作業機支持台車装置において、上記台車の下部には、車幅方向に延びる中間支持軸を設け、この中間支持軸によって上記作業機を振り子状に回動可能に軸支する回動支持部を形成し、この回動支持部には、作業機をその下垂位置で台車に対して係脱可能に固定するロック機構と、その下垂位置の一方側への回動を阻止するストッパ機構とを備えることを特徴とする。
【０００７】
請求項２の発明は、前記作業機は、発酵分解槽内の堆積物を撹拌する撹拌手段からなることを特徴とする。
【発明の効果】
【０００８】
請求項１の構成により、作業機は、回動支持部の中間支持軸に軸支されるとともに、ロック機構によって下垂位置に固定されることから、台車の進退動作によって発酵分解槽内で堆積物の攪拌等の所定の作業動作が可能となる。作業機のメンテナンスの際は、下垂状態においてロック機構を解除して回動支持部を回動可能とし、堆積物中に深く埋没されている作業機を引上機構等による回動引上げにより、修理、部品交換等を能率良く処理することができる。メンテナンスが終了して復旧する際は、作業機が中間支持軸について逆方向に自重等によって回動下降され、下垂位置まで戻るとストッパ機構によって過大な回動動作が阻止されて位置決めされる。したがって、ロック位置の位置合わせの調節作業を要することなく、そのままの位置でロック機構により作業機をロックして迅速に復旧稼動することができる。
【０００９】
請求項２の構成により、撹拌手段は、撹拌機能の維持のため、必要により、振り子状に回動引上げしてメンテナンスし、続いて回動支持部のストッパ機構により下垂位置でロック機構を作用して迅速に撹拌機能の復旧が可能となる。したがって、メンテナンスによる撹拌機能の停止を最小限度に抑えて発酵分解槽内の堆積物の発酵分解を効率良く処理することができる。
【発明を実施するための最良の形態】
【００１０】
本発明の実施の形態について、以下に図面に基づいて詳細に説明する。
図1および図２は、発明に係る発酵分解槽の作業台車装置の側面図およびその片半部分を示す正面図である。図1および図２において、作業台車装置１は、発酵分解槽２の開口部を跨ぎつつ進退走行可能な台車３と、この台車３の下方に支持されて発酵分解槽２内の堆積物を混合撹拌する撹拌手段９とから構成されるほか、発酵分解槽２内に一様に余剰汚泥等の処理目的物を投入散布するために、供給を受けた処理目的物を車幅方向に広げる横移送機構１１、および、この横移送機構１１から投下する排出機構１２から成る散布手段等を台車３上に装備する。
【００１１】
詳細に説明すると、発酵分解槽２は、余剰汚泥等の有機物を主とする発酵分解するべき処理目的物および好気性土壌菌を植え付けた菌床部材による発酵分解作用部材等を収容する容器であり、その上部は全面を大気に開口する。発酵分解槽２の両側部には、台車３の走行駆動用のレール４、４を設ける。また、発酵分解槽２の一端側の上方には、散布投入するべき処理目的物を供給するベルトコンベヤ等の搬送手段による図示せぬ供給部を固定的に配設する。
【００１２】
台車３は、発酵分解槽２の開口部を跨ぐ大きさの台枠状のフレーム３ａとその両側部を支持する車輪３ｂ…とから構成される。フレーム３ａには、その上部に、撹拌機駆動モータ７、引上シリンダ８とその懸垂保持用の保持フレーム８ａ、散布手段１１等を装備し、同フレーム３ａの下部には撹拌手段９を下垂状に備える。
【００１３】
撹拌手段９は、フレーム３ａの下部に中間支持軸２３を車幅方向に配置して回動支持部を形成し、この回動支持部の中間支持軸２３の両端からそれぞれ下方に伸びる下垂フレーム２４、２４を進退方向に回動可能に軸支し、両下垂フレーム２４、２４の間に上段横軸２５と下段横軸２６とを２段に構成し、撹拌機９、９を横軸配置に支持する。この撹拌機９は、多数のパドル羽根を放射状に取り付けた筒軸材をそれぞれ軸２５、２６にキー止めして構成する。撹拌機駆動モータ７は、減速機２１からチェーン２２を介してその下方の中間支持軸２３を駆動する。
【００１４】
中間支持軸２３と上段横軸２５との間、および中間支持軸２３と下段横軸２６との間に、下垂フレーム２４、２４に沿う２系統のチェーンを架設して上下の撹拌機９、９を駆動する。また、下垂フレーム２４、２４に沿うようにそれぞれの前後位置に縦送りオーガ１０、１０を配置し、その上端に設けた駆動モータ２９、２９との間をチェーンカプリング３０で連結する。このように、左右の下垂フレーム２４、２４により、上下２段の撹拌機９、９、および４つの縦送りオーガ１０…を撹拌ユニットとして一体的に構成する。
【００１５】
縦送りオーガ１０、１０は、下垂フレーム２４、２４が堆積物に埋没する範囲でその前後に配置し、その下端部を連結材１０ｃ、１０ｃにより下垂フレーム２４、２４から台車３の進退方向に離すように傾斜姿勢に固定する。連結材１０ｃ、１０ｃは、必要により、傾斜角度を調節可能に構成する。この傾斜配置により、台車３が進行する際の安定化を図ることができる。また、縦送りオーガ１０、１０は、オーガの深さ位置に応じてオーガ条数を多く形成するべく、下半部の範囲について上半部よりオーガ条数が多い多条オーガ部１０ａ，１０ａ（図例は２条）を形成する。この多条オーガ部１０ａ，１０ａにより、移送される堆積物の量がオーガ条数に応じて細分化されるので、外周圧力に抗して堆積物を上行移送する際にオーガから受ける圧縮作用力が低減されて圧密化を防止することができる。
【００１６】
下垂フレーム２４、２４は、下垂位置から略９０°の範囲で中間支持軸２３について振り子状に回動可能に構成するとともに、下垂位置から略水平位置まで引上げるべく、下垂フレーム２４、２４には、引上シリンダ８と連結する引上アーム４１を下垂フレーム２４、２４に突設する。下垂フレーム２４、２４の回動支持部には、図３の拡大図に示すように、下垂位置に下垂フレーム２４、２４を固定するためのロックピン（不図示）を挿通するピン孔３ｈ、２４ｈによるロック機構と、下垂位置から反対側への回動を阻止するストッパ３ｓ等によるストッパ機構３ｓ、２４ｓとを構成する。
【００１７】
上記構成の作業台車装置１は、所定位置で供給部から処理目的物を散布手段１１，１２に受け、この処理目的物を定速走行により発酵分解槽２内に一様に投入散布し、また、撹拌手段を稼動しつつ定速走行することにより発酵分解槽２内の堆積物を混合撹拌する。
【００１８】
撹拌機９，９は、作業台車装置１の混合撹拌走行に際して、台車３の下方に２つの下垂フレーム２４，２４により支持されて堆積物を混合撹拌し、この時、台車３の進行により縦送りオーガ１０…が堆積物を掘り出すように上行移送動作して下垂フレーム２４，２４の進行前面に作用する抵抗が抑えられるとともに、縦送りオーガ１０…の下半部の多条オーガ部１０ａ，１０ａにより、発酵分解槽２の底部近傍の堆積物は、過大な圧縮作用を受けることなく上行移送される。すなわち、この縦送りオーガ１０により、発酵分解槽の底部側から堆積物を上行移送する際に、過大な圧縮力が作用せず、堆積物の圧密化や細片化を回避できるので、堆積物中の粒間隙間による通気条件が永続的に確保されて大気が効率よく混入されることにより発酵分解処理を促進することができる。したがって、上記縦送りオーガ１０は、撹拌移動の際の補助手段のみならず、その他の広い目的に適用できるとともに、それ自身を撹拌手段として構成することができる。
【００１９】
また、傾斜姿勢の前後の縦送りオーガ１０，１０の稼動を進行方向に合わせて切替えることにより、前進方向分力によるモーメントを生じ、このモーメントにより縦送りオーガ１０の前面側に受ける抵抗による転倒モーメントが抑えられる。したがって、上記構成の発酵分解槽の作業台車装置１は、撹拌手段９、９が前進する際に、台車３の駆動による転倒モーメントが抑えられて小なる駆動力で能率良く安定して移動することが可能となる。
【００２０】
また、前後の縦送りオーガ１０，１０の稼動切替を行わない場合においても、前後方向分力によるモーメントは、比較的堆積密度が大きい部分に作用する進行前側の縦送りオーガによる方が進行後側より勝り、両者の合成モーメントにより縦送りオーガ１０の前面側に受ける抵抗による転倒モーメントが抑えられることから、稼動切替を要しない簡易な制御によって台車３の安定移動が可能となる。傾斜角度を調節可能に構成した場合は、堆積物や移動速度との関係において適宜調節して最適化することができる。
【００２１】
作業台車装置１のメンテナンスに際しては、図４に示すように、ピン孔３ｈ、２４ｈに挿通したロックピン（不図示）を抜いて下垂フレーム２４、２４のロックを解除した上で、引上シリンダ８を縮退することにより、下垂フレーム２４、２４および、撹拌機９、９、縦送りオーガ１０…が一体の撹拌ユニットとして下垂位置から略水平位置まで引上げられる。この引上げ操作により、発酵分解槽２内の堆積物の上方に露出した状態で撹拌機９、縦送りオーガ１０、チェーン等のメンテナンス作業をすることができる。
【００２２】
メンテナンスを終了して撹拌ユニットを戻す際は、引上シリンダ８を伸張することによって下垂フレーム２４、２４を下垂位置まで回動すると、ストッパ機構３ｓ、２４ｓにより過大な回動が阻止されて所定の下垂位置に位置決めされる。したがって、下垂フレーム２４、２４の角度合わせという困難な作業を要することなく、ピン孔３ｈ、２４ｈにロックピンを挿通して下垂フレーム２４、２４を所定の下垂位置に容易に固定することができる。
【００２３】
その結果、堆積物中に深く埋没されて稼動する攪拌機の異状に対して、迅速なメンテナンスを確保するとともに、メンテナンスの終了の際は、所定の下垂位置に合わせる調節作業を要することなく、撹拌機を下垂位置に戻してそのままロック機構により回動部を固定して迅速に復旧稼動することができるので、メンテナンス等による機能停止の影響を最小限度に抑えて作業稼動することにより、一定の処理条件を維持して継続的な発酵分解処理が可能となる。
【００２４】
なお、上述の回動支持部のロック機構およびストッパ機構は、上記攪拌機の支持に限ることなく、堆積物中の作業のための作業機一般に適用することにより、機器メンテナンスによる堆積物処理の中断を最小限度に抑えて、特に、深底型の発酵分解槽による処理効率を維持するために広く貢献することができる。
【図面の簡単な説明】
【００２５】
【図１】発明に係る発酵分解槽の作業台車装置の側面図である。
【図２】図１の作業台車装置の片半部分を示す正面図である。
【図３】下垂フレームの回動部の拡大図である。
【図４】撹拌機のメンテナンス態様を示す側面図である。
【符号の説明】
【００２６】
１    作業台車装置
２    発酵分解槽
３    台車
３ａ    フレーム
３ｓ、２４ｓ    ストッパ機構（係止手段）
３ｈ、２４ｈ    ピン孔（ロック機構）
８    引上シリンダ
９    撹拌機（作業機）
１０    縦送りオーガ
１０ａ    多条オーガ部
１０ｃ    連結部
１１    横移送機構（散布手段）
１２    排出機構（散布手段）
２３    中間支持軸（回動支持部）
２４    下垂フレーム
２５    上段横軸
２６    下段横軸
４１    引上アーム
【図１】
2005334824.tif 000003
【図２】
2005334824.tif 000004
【図３】
2005334824.tif 000005
【図４】
2005334824.tif 000006